(57)【要約】【課題】ラックサーバーを収納するサーバーラックを天井に配置することで、ラックサーバー等を合理的に収納することが可能な天井吊り型サーバーラックを提供する。【解決手段】マウントアングルを備えたサーバーラック１を設ける。サーバーラック１に固定する連結金具１０を設ける。連結金具１０に連結自在な天吊り金具２０を設ける。天吊り金具２０を天井スラブＰに固定する。これら連結金具１０と天吊り金具２０とを連結する。サーバーラック１を天井スラブＰに固定するように構成する。マウントアングルを、サーバーラック１の前後方向に移動自在に設ける。【選択図】  図１
2020095422.tif 000002
【特許請求の範囲】
【請求項１】
ラックサーバーを固定するマウントアングルを備えたサーバーラックにおいて、該サーバーラックに固定する連結金具と、該連結金具に連結自在に設けられ天井スラブに固定される天吊り金具とを備え、これら連結金具と天吊り金具とを連結してサーバーラックを天井スラブに固定し、天井ボードの下面側にサーバーラックを設置するように構成したことを特徴とする天井吊り型サーバーラック。
【請求項２】
前記天吊り金具を筒状に形成すると共に、天井ボードより上方の側面にケーブル配線孔を形成し、該ケーブル配線孔から天吊り金具内に挿入したケーブルを、前記サーバーラックに形成したケーブル挿通孔を通して前記サーバーラックの内部に導入するように構成した請求項１記記載の天井吊り型サーバーラック。
【請求項３】
前記連結金具に仮止め用の切欠部を形成し、前記天吊り金具にネジ止めされている連結ボルトに該切欠部を係止してから複数の連結用ボルトで前記連結金具と前記天吊り金具とを固定するように構成した請求項１又は２記載の天井吊り型サーバーラック。
【請求項４】
前記天吊り金具は、前記天井スラブに固定される筒状の連結体と、該連結体の下端部に長さ調整自在に連結される筒状の懸吊体とを備え、前記サーバーラックの高さを調整自在に構成した請求項１又は２記載の天井吊り型サーバーラック。
【請求項５】
前記サーバーラックの内部左右に配置されたマウントアングルは、前記サーバーラック内部の前後方向に移動自在に設けられた請求項１記載の天井吊り型サーバーラック。
【請求項６】
前記サーバーラックは、適数個のファンを着脱自在に装着するファン取付部を備え、各ファンに給電する電源をまとめて１系統に配線する端子台を設けた請求項１記載の天井吊り型サーバーラック。
【発明の詳細な説明】
【技術分野】
【０００１】
本発明は、天井に設置することができる天井吊り型サーバーラックに係り、室内スペースが限られている場合でも、複数のラックサーバーや電子機器を合理的に収容することが可能な天井吊り型サーバーラックに関する。
【背景技術】
【０００２】
サーバーラックとは、サーバー等の電子機器を収容するラックまたはキャビネットを総称する。現在のサーバーラックには、サーバーのみならずルーターやスイッチなどの各種ＩＴ機器や情報機器等も収納されている。
【０００３】
特許文献１に、１９インチラックを改良したサーバー収納ラックが記載されている。このサーバー収納ラックは、１９インチラックに各種のセンサや静電防止対策を施したものである。
【０００４】
一般の事務所や家庭等で使用されているサーバーは、主にタワーサーバーと称するデスクトップ型本体に似た形状のサーバーが使用されている。一方、ネットワークセンターなどで使用する多数のサーバーには、ラックサーバーと称する薄くて平積み可能なサーバーが使用されている。そして、このラックサーバーを収納するには、ラックサーバーを固定するマウントアングルが規格化された、所謂、１９インチラックが用いられている。
【０００５】
この１９インチラックとは、主にラックサーバーを固定するマウントアングルの仕様が規格化されたラックであり、共通のマウントアングルに各種機器を合理的に収納できるように構成されている。そして、この規格のマウントアングルを備えたサーバーラックの基本寸法は、例えばIEC規格（IEC 60297-3-100 ）に、１９インチシリーズのフロントパネル、サブラック、シャーシ、ラックおよびキャビネットの各種基本寸法が示されている。また同様の規格がJIS規格（JIS C 6012-3-100）にも示されている。
【０００６】
更に、ルーターやスイッチなどの各種ＩＴ機器や情報機器等は、この１９インチラックに搭載する仕様で製造されることが多い。そのため、ラックサーバーと共に、各種ＩＴ機器等の多くもこの１９インチラックに合理的に収納されている。
【先行技術文献】
【特許文献】
【０００７】
【特許文献１】特開２０００‐３１１０３０号公報
【発明の概要】
【発明が解決しようとする課題】
【０００８】
サーバーやＩＴ機器等は、現在、店舗などでも広く使用されている。しかも、複数の店舗を連繋するチェーン店などでは、各店舗がネットワークに連繋されると共に、店舗ごとのサーバーやルーターなども使用されている。そのため、このようなチェーン店では、タワーサーバーよりラックサーバーの使用が業務の合理化を図ることができる。
【０００９】
ところが、チェーン店全体の規模は大きくても、各店舗では床面積が限られた小規模店舗になるケースもある。このような小規模店舗において、ラックサーバーを使用すると、サーバーラック用のスペース確保が困難になるおそれがある。すなわちラックサーバーを収納する一般の１９インチラックを設置するには、少なくとも幅600mm、奥行600mm程度の床面積が必要になる。しかも、ラックサーバーやＩＴ機器等には多数のコードを配線するので、ラックの設置スペースに加えて配線スペースを確保する必要もある。
【００１０】
この結果、例えばチェーン店として繋がっている小規模の店舗でラックサーバーを使用すると、限られた床面積の多くがサーバーラックや配線スペースに占有されるという極めて不都合な状態になるおそれがあった。
【００１１】
そこで、本発明は上述の課題を解消すべく創出されたもので、ラックサーバーを収納するサーバーラックを天井に配置できるようにすることで、設置スペースの確保が容易になり、ラックサーバーやＩＴ機器等を合理的に収納することが可能になる天井吊り型サーバーラックの提供を目的とするものである。
【課題を解決するための手段】
【００１２】
上述の目的を達成すべく本発明における第１の手段は、ラックサーバー１００を固定するマウントアングル２を備えたサーバーラック１において、該サーバーラック１に固定する連結金具１０と、該連結金具１０に連結自在に設けられ天井スラブＰに固定される天吊り金具２０とを備え、これら連結金具１０と天吊り金具２０とを連結してサーバーラック１を天井スラブＰに固定し、天井ボードＱの下面側にサーバーラック１を設置するように構成したものである。
【００１３】
第２の手段は、前記天吊り金具２０を筒状に形成すると共に、天井ボードＱより上方の側面にケーブル配線孔２３Ａを形成し、該ケーブル配線孔２３Ａから天吊り金具２０内に挿入したケーブルを、前記サーバーラック１に形成したケーブル挿通孔３Ａを通して前記サーバーラック１の内部に導入するように構成したものである。
【００１４】
第３の手段は、前記連結金具１０に仮止め用の切欠部１１を形成し、前記天吊り金具２０にネジ止めされている連結ボルト１２に該切欠部１１を係止してから複数の連結用ボルト１２で前記連結金具１０と前記天吊り金具２０とを固定するように構成した。
【００１５】
第４の手段の前記天吊り金具２０は、前記天井スラブＰに固定される筒状の連結体２２と、該連結体２２の下端部に長さ調整自在に連結される筒状の懸吊体２３とを備え、前記サーバーラック１の高さを調整自在に構成したものである。
【００１６】
第５の手段において、前記サーバーラック１の内部左右に配置されたマウントアングル２は、前記サーバーラック１内部の前後方向に移動自在に設けられたものである。
【００１７】
第６の手段において、前記サーバーラック１は、内部を冷やす適数個のファンＳを着脱自在に装着するファン取付部６を備え、各ファンＳに給電する電源をまとめて１系統に配線する端子台７を設けたものである。
【発明の効果】
【００１８】
請求項１のように、連結金具１０と天吊り金具２０とを連結してサーバーラック１を天井スラブＰに固定するように構成したことにより、小規模店舗など、室内スペースが限られているところでも、床面積を犠牲にせずにサーバーラックの設置スペースを十分確保することができる。
【００１９】
しかも、サーバーラック１は、ラックサーバー１００を固定するマウントアングル２を備えているので、積み重ね可能なラックサーバー１００のみならず、各種ＩＴ機器や情報機器類を合理的に収納することができる。
【００２０】
更に、天吊り金具２０は天井ボードＱの下面側にサーバーラック１を設置するように構成しているので、天井の外観を確保し、天井ボードＱを傷付けるおそれもない。また天井ボードＱを設置した状態でもサーバーラック１の取付けが可能になる。
【００２１】
請求項２のように、天吊り金具２０の内部に挿入されたケーブルをサーバーラック１内に導入する構成なので、多くの配線類を天井ボードＱの裏面側に配線することができる。この結果、配線スペースによって床面積の多くが占有される不都合も解消された。
【００２２】
請求項３のごとく、連結金具１０に仮止め用の切欠部１１を形成しているので、天井ボードＱの下面で行うサーバーラック１の取付け作業を簡略化することができる。
【００２３】
請求項４のように、懸吊体２３の上端部と連結体２２とを長さ調整自在に連結し、サーバーラック１の高さを調整自在に構成しているので、天井ボードＱの高さに合わせてサーバーラック１を設置することが可能になる。
【００２４】
請求項５のごとく、マウントアングル２をサーバーラック１内部の前後方向に移動自在に設けることで、例えば各種店舗等で使用している各種ＩＴ機器等の収納も可能になる。
【００２５】
請求項６のように、適数個のファンＳを着脱自在に装着するファン取付部６を備えているので、サーバーラック１内の温度が上昇する場合でも、ファン取付部６に複数のファンＳを取付けることでサーバーラック１内部の熱を外部に排出できるようになる。
【００２６】
しかも、各ファンＳに給電する電源をまとめて１系統に配線する端子台７を設けているので、複数のファンＳに合理的な給電が可能になる。
【図面の簡単な説明】
【００２７】
【図１】本発明の一実施例を示す斜視図である。
【図２】本発明の一実施例を示す平面図である。
【図３】天吊り金具に連結金具を連結した状態を示す要部側面図である。
【図４】本発明のマウントアングルを示す正面図である。
【図５】本発明のマウントアングルの位置を示す側面図である。
【図６】本発明の固定体と連結体とを示す底面図である。
【図７】（イ）〜（ニ）は、ファン取付部と端子台との位置を示すもので、（イ）は一部切欠側面図、（ロ）は内部の正面図、（ハ）は背面図である。
【図８】本発明の他のサイズのサーバーラックを示す平面図である。
【図９】（イ）〜（ニ）は、本発明の連結金具の取付け状態を示す図である。
【発明を実施するための形態】
【００２８】
本発明は、サーバーやＩＴ機器等の電子機器を収容するサーバーラック１であり、このサーバーラック１に連結金具１０と天吊り金具２０とを備えた構成である（図１参照）。
【００２９】
本発明サーバーラック１は、１９インチラック規格のマウントアングル２を備え、ラックサーバー１００や、ネットワークルーター２００など各種ＩＴ機器等を収容するタイプのラックである。図示例では、ケーブルガイド５を備えている（図４参照）。更に、マウントアングル２を前後方向に移動自在に設けている（図５参照）。このようにマウントアングル２の位置を変更すると、例えば、店舗等に必要な各種の機器に対応可能になる。
【００３０】
また、サーバーラック１の内部に、適数個のファンＳを着脱自在に装着するファン取付部６を備えている（図７（イ）参照）。このファン取付部６に取り付けたファンＳで、サーバーラック１内の熱を外へ排出する（同図（ロ）参照）。更に、ファン取付部６の近傍に端子台７を設けている。この端子台７は、各ファンＳの電源コードをまとめ、この端子台７に１系統で給電するように構成したものである。尚、これらファン取付部６や端子台７は外からは見えない位置に設置されている（同図（ハ）参照）。
【００３１】
連結金具１０はサーバーラック１に固定された部材であり、天吊り金具２０は天井スラブＰに固定する部材である。これら連結金具１０と天吊り金具２０とを連結してサーバーラック１を天井スラブＰに固定する（図１参照）。
【００３２】
図示の連結金具１０は、サーバーラック１の天板３に固定する一対の帯板状の天板固定部１３を備えたものである（図２参照）。天板３の中央にはケーブル挿通孔３Ａを形成しており、連結金具１０はこのケーブル挿通孔３Ａを挟む位置に配置している。そして、これらの天板固定部１３を天板３に固定ボルト１５で固定している（図３参照）。
【００３３】
天板固定部１３には、屈曲して立設された連結部１４を設けている（図３参照）。この連結部１４は、天吊り金具２０の固定体２４に連結する部位である。更に、この連結部１４に仮止め用の切欠部１１を形成している。この切欠部１１はサーバーラック１を天吊り金具２０に取付ける際に使用する。すなわち、天吊り金具２０にネジ止めされている連結ボルト１２に、この切欠部１１を仮止め状態で係止し、その後、連結金具１０と天吊り金具２０とを固定するように構成したものである。
【００３４】
一方、天吊り金具２０は、天井スラブＰから天井ボードＱを貫通するように設けている（図４参照）。このため、サーバーラック１は、天井ボードＱの下面側に設置されることになる。図示の天吊り金具２０は、筒状に形成され、側面にケーブル配線孔２３Ａを形成している。このケーブル配線孔２３Ａは天井ボードＱの上方に設置されている。そして、このケーブル配線孔２３Ａから天吊り金具２０内に挿入したケーブルを、サーバーラック１の天板３に形成したケーブル挿通孔３Ａを通してサーバーラック１の内部に直接導入するように構成している（図２参照）。
【００３５】
図示例では、サーバーラック１の天板３の中央のケーブル挿通孔３Ａと、天板３の前後のケーブル挿通孔３Ｂとが形成されている（図２参照）。そして、天吊り金具２０を天板３の中央に設置し、天吊り金具２０から導入されたケーブルをケーブル挿通孔３Ａに直接通してサーバーラック１内に導入するように構成している。このとき、天吊り金具２０の構成や、サーバーラック１への取付け位置は図示例に限られるものではなく、天吊り金具２０の本数は勿論、取付け位置も任意の位置に連結することが可能である。また、天吊り金具２０からサーバーラック１に導入する際のケーブル挿通孔３Ａ、３Ｂの選択やケーブルの導入ルートの変更も自由である。
【００３６】
図示の天吊り金具２０は、固定体２１、連結体２２、懸吊体２３、固定体２４を備えた構成である（図４参照）。
【００３７】
固定体２１は、天井スラブＰに固定した吊りボルトＲに連結する盤状部材である（図９（イ）参照）。この固定体２１の中央には、連結体２２の筒状部２２Ｂを挿通せしめる挿通孔２１Ａが形成されている（図６参照）。更に、この固定体２１に、吊りボルトＲを挿通する複数のボルト挿通孔２１Ｂが設けられている。
【００３８】
連結体２２は、固定体２１の上面に重ねる重合板２２Ａと、該重合板２２Ａに固定されて鉛直下方に延びる筒状部２２Ｂとを備えている（図５参照）。そして、固定体２１の挿通孔２１Ａに筒状部２２Ｂを上から挿通すると、連結体２２が固定体２１ごと天井スラブＰに固定されるものである。更に、筒状部２２Ｂには、連結ボルト２２Ｃを挿通する複数のボルト挿通孔２２Ｄが形成されている。
【００３９】
懸吊体２３は、連結体２２の筒状部２２Ｂにスライド嵌合して長さ調整自在に連結する筒状部材である（図５参照）。そして、懸吊体２３と筒状部２２Ｂとの側面を貫通する連結ボルト２２Ｃにて筒状部２２Ｂに連結する。このとき、連結ボルト２２Ｃを挿通するボルト挿通孔２２Ｄを選択することで懸吊体２３の長さを調整する（図４参照）。更に、この懸吊体２３の下端部に重合板２３Ｂが形成され、この重合板２３Ｂが固定体２４の下面に固定されている（図５参照）。
【００４０】
固定体２４は、懸吊体２３の下端部に固定される部材で、サーバーラック１に固定した連結金具１０に連結する（図２、図３参照）。図示の固定体２４は、矩形状の天板２４Ａと一対の側板２４Ｂとで構成している（図２参照）。この天板２４Ａには懸吊体２３を挿通する挿通孔２４Ｃが形成されている。この挿通孔２４Ｃに下から懸吊体２３を挿通すると、懸吊体２３下端の重合板２３Ｂが天板２４Ａ下面に重合して固定されるように構成している（図５参照）。
【００４１】
更に、固定体２４の側板２４Ｂは、天板２４Ａの対向する側縁部を屈曲して設けた部位で、この側板２４Ｂに連結部１４を重ねて連結ボルト１２で固定する（図３参照）。このとき、連結部１４に形成した切欠部１１を使用して次のように取付けることで、サーバーラック１の取付け作業を容易にすることができる。
【００４２】
本発明サーバーラック１の取付け工程を図９に基づいて説明する。
（イ）のごとく、天井スラブＰに固定された吊りボルトＲに天吊り金具２０の固定体２１を固定する。
（ロ）のごとく、天井ボードＱの下面から通した懸吊体２３を、連結体２２に連結する。連結後、天井開口部Ｑ１に化粧パネル２５を取付ける。
（ハ）のごとく、サーバーラック１を持ち上げながら、連結金具１０の切欠部１１を使用してサーバーラック１の一部を仮止めする。
（ニ）のごとく、仮止め位置の反対側を持ち上げて水平状態にして固定する。
【００４３】
このように、天井ボードＱの下に設置されたサーバーラック１に、複数のラックサーバー１００やネットワークルーター２００等の各種機器を収納することができる（図４参照）。また、各種機器に配線するケーブルは、主に天井ボードＱ上のケーブル配線孔２３Ａを通してサーバーラック１内に配線する（図４参照）。したがって、ケーブル配線孔２３Ａを通すケーブルは、全て天井ボードＱの裏側に配線される。
【００４４】
また、サーバーラック１の天板３に、別途開口したケーブル挿通孔３Ｂを利用してケーブルを配線することも可能になる（図２参照）。この場合、サーバーラック１から床上への配線が自由になる。例えば、サーバーラック１からデスク上のパソコン機器等に配線することができる。更に、サーバーラック１の扉４を外した状態で配線することも可能である（図示せず）。
【００４５】
尚、サーバーラック１の形状やサイズは１９インチラック用のマウントアングル２を装着可能であれば自由に変更することが可能である。例えば、図８に示すサーバーラック１は、平面正方形状を成したサーバーラック１を示している。
【００４６】
更に、本発明の各構成についても図示例に限定されるものではなく、この位置や本発明の要旨を変更しない範囲で自由に設計変更することができる。
【符号の説明】
【００４７】
Ｐ  天井スラブ
Ｑ  天井ボード
Ｑ１  天井開口部
Ｒ  吊りボルト
Ｓ  ファン
１  サーバーラック
２  マウントアングル
３  天板
３Ａ  ケーブル挿通孔
３Ｂ  ケーブル挿通孔
４  扉
５  ケーブルガイド
６  ファン取付部
７  端子台
１０  連結金具
１１  切欠部
１２  連結ボルト
１３  天板固定部
１４  連結部
１５  固定ボルト
２０  天吊り金具
２１  固定体
２１Ａ  挿通孔
２１Ｂ  ボルト挿通孔
２２  連結体
２２Ａ  重合板
２２Ｂ  筒状部
２２Ｃ  連結ボルト
２２Ｄ  ボルト挿通孔
２３  懸吊体
２３Ａ  ケーブル配線孔
２３Ｂ  重合板
２４  固定体
２４Ａ  天板
２４Ｂ  側板
２４Ｃ  挿通孔
２５  化粧パネル
１００  ラックサーバー
２００  ネットワークルーター
【図１】
2020095422.tif 000003
【図２】
2020095422.tif 000004
【図３】
2020095422.tif 000005
【図４】
2020095422.tif 000006
【図５】
2020095422.tif 000007
【図６】
2020095422.tif 000008
【図７】
2020095422.tif 000009
【図８】
2020095422.tif 000010
【図９】
2020095422.tif 000011